(57)【要約】【課題】個々の音楽データに対して画像データを関連付けるユーザ操作を不要とすることで、曲数が増えてもユーザ操作の負荷が増大しないデータ関連付け方法を提供する。【解決手段】音声データと画像データとを互いに関連付ける方法であって、記録する音声データを指定するステップ（ST0101）と、この指定された音声データの順番を指定するステップ（ST0102）と、各音声データに関連付ける画像データを纏めて且つユーザ操作で決められた所定ルールに基づき順番を指定するステップ（ST0103）と、画像データの取得先を指定するステップ（ST0104）と、各音声データに対して上記ルールに基づき画像データの関連付けを行うステップ（ST0106）とを具備したもの。【選択図】図３
2007305262.tif 000002
【特許請求の範囲】
【請求項１】
音声データと画像データとを互いに関連付ける方法であって、
複数の音声データを指定するステップと、
上記各音声データに関連付ける複数の画像データを纏めて且つ所定ルールに基づき指定するステップと、
上記画像データの取得先を指定するステップと、
上記各音声データに対して上記ルールに基づき画像データの関連付けを行うステップとを
具備したことを特徴とするデータ関連付け方法。
【請求項２】
画像データを指定するルールとして、画像データのファイル情報の順番に基づき指定するルールを採用することを特徴とする請求項１に記載のデータ関連付け方法。
【請求項３】
画像データを指定するルールとして、画像データに含まれる付加情報の順番に基づき指定するルールを採用することを特徴とする請求項１に記載のデータ関連付け方法。
【請求項４】
画像データを指定するルールとして、画像データの一覧リストに基づき指定することを特徴とする請求項１に記載のデータ関連付け方法。
【請求項５】
画像データの取得先を所定の記憶媒体とすることを特徴とする請求項１に記載のデータ関連付け方法。
【請求項６】
画像データの取得先を所定のネットワークとすることを特徴とする請求項１に記載のデータ関連付け方法。
【請求項７】
画像データの取得先を、画像データを保存する保存フォルダの一覧リストで指定することを特徴とする請求項１に記載のデータ関連付け方法。
【請求項８】
請求項１乃至７のいずれかに記載のデータ関連付け方法において、
音声データに画像データを関連付ける際に、
画像データが不足した場合、同じ取得先から、既に使用した画像データを再度取得するステップを具備したことを特徴とするデータ関連付け方法。
【請求項９】
請求項１乃至７のいずれかに記載のデータ関連付け方法において、
音声データに画像データを関連付ける際に、
画像データが残った場合、既に関連付けされた音声データに、当該残った画像データを再度重複させて関連付けるステップを具備したことを特徴とするデータ関連付け方法。
【請求項１０】
請求項１乃至９のいずれかに記載のデータ関連付け方法を用いて、音声データと画像データとを記憶媒体に記録させるデータ記録装置であって、
記録する複数の音声データを指定する音声データ指定手段と、
上記指定された各音声データに関連付ける画像データを纏めて且つ所定ルールに基づき指定する画像データ指定手段と、
上記画像データの取得先を指定する画像データ取得先指定手段と、
上記データ同士の関連付け情報を記憶媒体に作成する関連付け情報作成手段とを
具備したことを特徴とするデータ記録装置。
【発明の詳細な説明】
【技術分野】
【０００１】
本発明は、音声データと、画像データと、音声データおよび画像データの再生に必要となる再生制御情報とを記憶媒体に記録する際に、両データを互いに関連付けるためのデータ関連付け方法および当該データ関連付け方法を用いたデータ記録装置に関するものである。
【背景技術】
【０００２】
近年、携帯電話への音楽配信など、表示と再生の機能を持つ機器へ音楽を配信する音楽市場が広がっており、音楽を単体で再生するだけでなく音楽に対応するアーティストの写真やライブ映像等のイメージを表示する画像付き音楽の需要が増大し、それに伴い、画像付き音楽を記録し得るディジタル機器の需要も増大しつつある。
【０００３】
以下、従来の画像データ付き音楽データ（音楽曲）を記録するための記憶媒体のデータ構成、データ記録装置の構成、および記録制御処理について説明する。
図１３に従来の画像データ付き音楽データを記録するための記憶媒体のデータ構成例を示す。
【０００４】
図１３に示すように、記憶媒体１００には、複数の音楽データ（音声データ）１０１と、複数の画像データ１０２と、音楽データおよび画像データの再生に必要となる再生制御情報１０３とが記録される。
【０００５】
上記再生制御情報１０３には、各音楽データ１０１それぞれの再生を制御するための音楽制御情報（音声制御情報）１０４と、各画像データ１０２それぞれの再生を制御するための画像制御情報１０５と、各音楽データ１０１と各画像データ１０２の関連付けの有無を示す画像関連付け情報１０６とが含まれる。なお、画像データは記録されていなくてもよく、画像データが記録されていない場合には、画像制御情報は記録されていなくてもよい。
【０００６】
上記音楽制御情報１０４は各音楽データ１０１それぞれの取得とデコードに必要な情報であり、画像制御情報１０５は各画像データ１０２それぞれの取得とデコードに必要な情報である。また、画像制御情報１０５には、例えば図１３に示すように、各画像データに付された画像データ番号とその画像データの表示順の情報などが含まれている。
【０００７】
上記画像関連付け情報１０６は、例えば図１３に示すように、音楽データ（１）が画像データ（１）、（２）に関連付けられており、音楽データ（２）が画像データ（２）に関連付けられていることを示す情報である。図１３に示す例では、音楽データ（３）はいずれの画像データ（１）〜（３）とも関連付けされていない。
【０００８】
続いて、従来の画像付き音楽を記録するためのデータ記録装置の構成について説明する。
図１４に従来のデータ記録装置の構成例を示す。
【０００９】
図１４に示すように、記録装置２００は、図１３を用いて説明したデータ構造の記憶媒体２０５へアクセスして各種情報［音楽データ（音声データ）や、画像データ、再生制御情報など］の読み出し、書き込みを行う記憶媒体制御部２０２と、各種情報（音楽データ、画像データ、再生制御情報、音楽制御情報、画像制御情報、画像関連付け情報など）を記録させるための記録制御部２０３と、音声データの入力を行うための音声データ入力部２０６と、音声データ入力部２０６から入力された記録前の音声データの制御を行うデータ制御部０２０４と、当該記録装置全体の制御を司るシステムコントローラ２０１とを備えている。
【００１０】
なお、上記記憶媒体制御部２０２については、その接続先が複数の記憶媒体やネットワークでも可能なように構成されている。
上記システムコントローラ２０１は、記録制御部２０３にて、音楽制御情報、画像制御情報および画像関連付け情報を作成させる処理機能を有し、またデータ制御部２０４にて、音声データ入力部２０６から入力された音声データを記憶媒体２０５に記録するためのデータを作成させる処理機能を有し、また記憶媒体制御部２０２にて、音楽データや画像データや音楽制御情報や、画像制御情報、画像関連付け情報を記憶媒体２０５へ記録させる処理機能を有している。
【００１１】
次に、従来の画像付き音楽を記録する際の関連付け処理について説明する。
図１５に従来の関連付け処理のフローを示す。
なお、記録を行う曲の選択は、音声データ入力部２０６から入力されている順序でもよいし、ユーザが決定した順序でもよい。また、ユーザが、記録する複数の曲を選択するようにしてもよい。
【００１２】
図１５において、制御処理を開始すると、まずステップＳＴ１１０１において、ユーザ操作により記録する音声データの指定を行う。
ステップＳＴ１１０２において、この音声データに関連付ける画像データをユーザ操作により指定する。
【００１３】
ステップＳＴ１１０３において、この音声データへの画像データの関連付けの終了を判定し、関連付けが終了していない場合、ステップＳＴ１１０２の処理を再び行う。
関連付けが終了している場合、ＳＴ１１０４にて、この音声データに対する再生制御情報を作成する。この再生制御情報には、音声データに関連付けられた画像データを識別するための画像関連付け情報も含まれている。
【００１４】
次に、従来の画像付き音楽を記録するためのユーザ操作内容について説明する。
図１６に従来のユーザ操作内容の例を示す。
ここでは、３曲の音楽データに１枚ずつの画像データを関連付ける場合の例として示す。
【００１５】
まず、ユーザ操作により音楽データ（１）に対して関連付ける画像データ（１）を指定し、次にユーザ操作により音楽データ（２）に対して関連付ける画像データ（２）を指定し、さらに同様に、ユーザ操作により音楽データ（３）に対して関連付ける画像データ（３）を指定する。
【００１６】
この種のデータ関連付け方法およびデータ記録装置としては、例えば特許文献１に開示されたものがある。
【特許文献１】特開２００３−２５９３００号公報
【発明の開示】
【発明が解決しようとする課題】
【００１７】
上記従来のデータ関連付け方法およびデータ記録装置によると、画像データと音楽データとを関連付ける際、画像に関連付ける音楽をユーザの操作により１つ１つ選択して関連付けさせており、したがって音楽データの曲数が増える毎にユーザ操作の負荷が増大し、ユーザ操作そのものに対する負荷に関しては考慮がなされていないという問題があった。
【００１８】
そこで、本発明は、個々の音楽データに対して画像データを関連付けるユーザ操作を不要とすることで、曲数が増えてもユーザ操作の負荷が増大しない、データ関連付け方法およびデータ記録装置を提供することを目的とする。
【課題を解決するための手段】
【００１９】
本発明の請求項１に係るデータ関連付け方法は、音声データと画像データとを互いに関連付ける方法であって、
複数の音声データを指定するステップと、
上記各音声データに関連付ける複数の画像データを纏めて且つ所定ルールに基づき指定するステップと、
上記画像データの取得先を指定するステップと、
上記各音声データに対して上記ルールに基づき画像データの関連付けを行うステップとを具備した方法である。
【００２０】
また、請求項２に係るデータ関連付け方法は、請求項１に記載のデータ関連付け方法における画像データを指定するルールとして、画像データのファイル情報の順番に基づき指定するルールを採用した方法である。
【００２１】
また、請求項３に係るデータ関連付け方法は、請求項１に記載のデータ関連付け方法における画像データを指定するルールとして、画像データに含まれる付加情報の順番に基づき指定するルールを採用した方法である。
【００２２】
また、請求項４に係るデータ関連付け方法は、請求項１に記載のデータ関連付け方法における画像データを指定するルールとして、画像データの一覧リストに基づき指定する方法である。
【００２３】
また、請求項５に係るデータ関連付け方法は、請求項１に記載のデータ関連付け方法における画像データの取得先を所定の記憶媒体とする方法である。
また、請求項６に係るデータ関連付け方法は、請求項１に記載のデータ関連付け方法における画像データの取得先を所定のネットワークとする方法である。
【００２４】
また、請求項７に係るデータ関連付け方法は、請求項１に記載のデータ関連付け方法における画像データの取得先を、画像データを保存する保存フォルダの一覧リストで指定する方法である。
【００２５】
また、請求項８に係るデータ関連付け方法は、請求項１乃至７のいずれかに記載のデータ関連付け方法において、
音声データに画像データを関連付ける際に、
画像データが不足した場合、同じ取得先から、既に使用した画像データを再度取得するステップを具備した方法である。
【００２６】
また、請求項９に係るデータ関連付け方法は、請求項１乃至７のいずれかに記載のデータ関連付け方法において、
音声データに画像データを関連付ける際に、
画像データが残った場合、既に関連付けされた音声データに、当該残った画像データを再度重複させて関連付けるステップを具備した方法である。
【００２７】
さらに、本発明のデータ記録装置は、請求項１乃至９のいずれかに記載のデータ関連付け方法を用いて、音声データと画像データとを記憶媒体に記録させるデータ記録装置であって、
記録する複数の音声データを指定する音声データ指定手段と、
上記指定された各音声データに関連付ける画像データを纏めて且つ所定ルールに基づき指定する画像データ指定手段と、
上記画像データの取得先を指定する画像データ取得先指定手段と、
上記データ同士の関連付け情報を記憶媒体に作成する関連付け情報作成手段とを具備したものである。
【発明の効果】
【００２８】
上記本発明のデータ関連付け方法およびデータ記録装置によると、ユーザ操作により、複数の音声データに関連付ける複数の画像データを纏めて所定ルールでもって指定することができるとともに、画像データの取得先についても、ユーザ操作で指定することができるので、個々の音楽データに対して、その都度、画像データを関連付けるユーザ操作が不要となり、したがって曲数が増えた場合の音声データに画像データを関連付けるためのユーザ操作の負荷を軽減することができる。
【発明を実施するための最良の形態】
【００２９】
以下、本発明の実施の形態に係るデータ関連付け方法およびこのデータ関連付け方法を用いたデータ記録装置について、図面を参照しながら説明する。なお、記憶媒体のデータ構成およびデータ記録装置の構成については、背景技術の欄で説明した従来のものと略同一ではあるが、再度、説明しておく。この説明においては、従来と同一の構成部材については、同一番号を用いて説明する。
【００３０】
さらに、複数の実施の形態について説明を行うが、画像データ付き音楽曲（音声データの一例であり、以下、この音楽曲を音楽データと称して説明する）を記録するための記憶媒体のデータ構成およびデータ記録装置の構成については、各実施の形態において共通するものであり、したがって個々の実施の形態の説明に入る前に、纏めて説明しておく。
【００３１】
図１に画像データ付き音楽データを記録するための記憶媒体のデータ構成例および操作内容例を示す。
図１に示すように、例えばディジタル音楽プレイヤー（音楽データおよび画像データを扱い得るディジタルプレイヤーであってもよい）などのデータ記録装置に具備されている記憶媒体（例えば、ハードディスク、半導体メモリなどである）１００は、複数曲の音楽データ１０１と、複数の画像データ１０２と、これら音楽データおよび画像データの再生に必要となる再生制御情報１０３とが記録されるように構成されている。
【００３２】
上記再生制御情報１０３には、少なくとも、各音楽データ１０１それぞれの再生を制御するための音楽制御情報（音声制御情報）１０４と、各画像データ１０２それぞれの再生を制御するための画像制御情報１０５と、各音楽データ１０１と各画像データ１０２との関連付けの有無を示す画像関連付け情報１０６とが含まれている。
【００３３】
上記音楽制御情報１０４は各音楽データ１０１それぞれの取得とデコードに必要な情報であり、画像制御情報１０５は各画像データ１０２それぞれの取得とデコードに必要な情報である。また、画像制御情報１０５には、各画像データに付された画像データ番号とその画像データの表示順の情報などが含まれている。
【００３４】
また、上記画像関連付け情報１０６は、例えば音楽データ（１）が画像データ（１）に、音楽データ（２）が画像データ（２）に、および音楽データ（３）が画像データ（３）に関連付けられていることを示す情報である。
【００３５】
次に、画像データ付き音楽データを記録するためのデータ記録装置の構成について説明する。
図２にデータ記録装置の構成例を示す。
【００３６】
図２に示すように、記録装置２００は、図１を用いて説明したデータ構造の記憶媒体２０５へアクセスして各種情報［音楽データ（音声データ）、画像データ、再生制御情報など］の読み出しおよび書き込みを行う記憶媒体制御部２０２と、各種情報［音楽データ（音声データ）、画像データ、および音楽制御情報、画像制御情報、画像関連付け情報などの再生制御情報］の記録を制御するための記録制御部２０３と、音楽データ（音声データ）の入力を行うための音声データ入力部２０６と、画像データの入力を行うための画像データ入力部２０７と、これら各データ入力部２０６，２０７から入力された記録前の音楽データおよび画像データの制御を行うデータ制御部０２０４と、当該記録装置全体の制御を行うシステムコントローラ２０１とを備えている。なお、上記記憶媒体制御部２０２については、その接続先が複数の記憶媒体やネットワークでも可能なように構成されている。
【００３７】
上記システムコントローラ２０１は、記録制御部２０３にて、音楽制御情報、画像制御情報および画像関連付け情報を作成させる処理機能を有し、データ制御部２０４にて、音声データ入力部２０６から入力された音楽データ（音声データ）および画像データ入力部２０７から入力された画像データを記憶媒体に記録するためのデータを作成させる処理機能を有し、また記憶媒体制御部２０２にて、音楽データ、画像データ、音楽制御情報、画像制御情報および画像関連付け情報を記憶媒体２０５へ記録させる処理機能を有している。
【００３８】
ここで、本発明に関する主な構成について説明しておくと、上記記録装置２００には、記録する複数の音声データを指定する音声データ指定手段と、上記指定された各音声データに関連付ける画像データを纏めて且つ所定ルールに基づき指定する画像データ指定手段と、上記画像データの取得先を指定する画像データ取得先指定手段と、上記データ同士の関連付け情報を記憶媒体に作成する関連付け情報作成手段とが具備されている。上記各指定手段は、例えば記録装置２００の各操作画面上にて指定（選択）し得る機能であり、また関連付け情報作成手段は、具体的には、上記記憶媒体制御部２０２に具備されている。
【００３９】
なお、本実施の形態に係るデータ記録装置においては、基本的には、音楽ＣＤの再生装置が音声データ入力部２０６に接続されて音楽データを外部から入力するとともに、画像データについては、予め、記憶媒体２０５の所定の記憶領域に記録されているものとして説明を行うが、所定の実施の形態については、画像データ入力部２０７を介して、画像データを他の記憶媒体［例えば、ネットワーク（正確にはネットワークに接続された記憶媒体）、ディジタルカメラ（正確にはカメラに具備された記憶媒体）、半導体メモリなど）から入力するものとして説明する。
【００４０】
このような構成に基づき、以下、データ関連付け方法の実施の形態について詳しく説明する。
［実施の形態１］
以下、本発明の実施の形態１に係るデータ関連付け方法を、図面に基づき説明する。
【００４１】
図３は実施の形態１に係るデータ関連付け方法、すなわち画像データを音楽データ（音楽曲）に関連付ける処理を示すフローチャートである。
なお、この実施の形態１においては（これ以降に示す各実施の形態についても同様である）、上述したように、音楽データはＣＤから読み込むものとするとともに、データの関連付けを開始する前に、そのデータファイルの一覧リスト（曲目リストである）およびデータファイル（音楽の実体ファイル）が、音声データ入力部２０６を介して、データ記録装置に読み込まれているものとする。場合によっては、データの関連付けを行った後に、音楽のデータファイル（実体ファイル）を読み込むようにしてもよい。但し、この場合、少なくとも、一覧リストについては、データの関連付けを開始する前に読み込まれているものとする。
【００４２】
図３に示すように、関連付け処理を開始すると、まず、ステップＳＴ０１０１において、ユーザ操作で記録する音声データの指定（選択）を行う。具体的には、ＣＤから読み込まれた一覧リストが画面に表示されるとともに、この画面（選択画面でもある）から曲目の全部またはユーザが指定する曲を入力する。勿論、データ記録装置では、音声データ入力部２０６から読み込まれた一覧リストが表示されるとともに（一覧リストの表示機能も具備されている）、音声データ指定手段により、記録する音楽データが指定（選択）される。
【００４３】
次に、ステップＳＴ０１０２において、ステップＳＴ０１０１で指定（選択）された音楽データについて、画像データを関連付ける順番（順序）が指定（決定）される。この音声データの順番の指定はユーザ操作ではなく、システムコントローラ２０１内部で自動的に行われる。例えば、一覧リストの全部が選択されている場合には、一覧リストの順番に従って指定され、またユーザが指定した場合には、その指定順に従ってその順番が指定され、さらにユーザが適宜選択した場合には、その選択順に従ってその順番が指定される。つまり、選択方法に基づき自動的に（予め、決められた指定順ルールに基づき）記録する順番が決定される。
【００４４】
次に、ステップＳＴ０１０３において、ユーザ操作で音楽データに関連付ける画像データの順番すなわち順序付けルールを指定する。この順序付けルールについても、指定画面で行われるとともに、画像データ指定手段により画像データの順番が指定される。
【００４５】
なお、順序付けを指定するためのユーザ操作はステップＳＴ０１０３以前であれば任意のタイミングで行ってよいため、図３のフローチャートでは省略されている。
次に、ステップＳＴ０１０４において、ユーザ操作で決められたルールに基づき画像データの取得先を指定する。ここでは、記憶媒体２０５が指定される。勿論、画像データの取得先については、画像データ取得先指定手段により行われる。なお、画像データの取得先を指定する（ルールを決める）ためのユーザ操作はステップＳＴ０１０４以前であれば任意のタイミングで行ってよいため、図３のフローチャートでは省略されている。
【００４６】
次に、ステップＳＴ０１０５において、ステップＳＴ０１０２またはステップＳＴ０１０９で指定された音楽データに関連付ける画像データの有無を判定し、画像データがある場合は、ステップＳＴ０１０６に進み、画像データがない場合は、ステップＳＴ０１０８に進む。
【００４７】
次に、ステップＳＴ０１０６において、ステップＳＴ０１０４で指定された画像データの取得先から取得した画像データを、ステップＳＴ０１０３で指定されたユーザ操作で予め決められた順序付けルールで、ステップＳＴ０１０２またはステップＳＴ０１０９で指定された音楽データに関連付けるための画像関連付け情報を作成する。勿論、この関連付けは関連付け情報作成手段にて行われる。
【００４８】
なお、上記ステップＳＴ０１０５およびステップＳＴ０１０６は、自動的に、音楽データ１曲ずつについて行われる。勿論、複数曲ずつ、または纏めて全曲について行うこともできる。
【００４９】
次に、ステップＳＴ０１０７において、ステップＳＴ０１０１で指定された全ての音楽データに対する画像データの関連付けが終了したか否かを判定し、終了している場合は、ステップＳＴ０１０８に進み、終了していない場合は、ステップＳＴ０１０９に進み、画像データを関連付ける次の音楽データを指定し、再びステップＳＴ０１０５からの処理を行う。
【００５０】
次に、ステップＳＴ０１０８において、ステップＳＴ０１０６で作成された画像データ関連付け情報を用いてステップＳＴ０１０１で指定された音楽データの再生制御情報を作成し、関連付け処理を終了する。
【００５１】
上記再生制御情報には、音楽データに関連付けられた画像データを識別するための画像関連付け情報も含まれている。
この実施の形態１の構成によると、ユーザ操作により、複数の音楽データに関連付ける複数の画像データを纏めて且つ所定ルールでもって指定することができるとともに、画像データの取得先についても、ユーザ操作で指定することができるので、個々の音楽データに対して、その都度、画像データを関連付けるユーザ操作が不要となり、したがって曲数が増えた場合に関連付けるためのユーザ操作の負荷を軽減することができる。
［実施の形態２］
以下、本発明の実施の形態２に係るデータ関連付け方法を、図面に基づき説明する。
【００５２】
図４は実施の形態２に係るデータ関連付け方法、すなわち画像データを音楽データ（例えば音楽曲である）に関連付ける処理を示すフローチャートである。
なお、本実施の形態２に係るデータ関連付け方法は、実施の形態１にて説明したデータ関連付け方法と略構成が同じであり、その一部が異なるだけであるため、実施の形態１で説明したものと同一のステップについては、その説明を簡単に行うものとする（以降の実施の形態についても、同様である）。
【００５３】
図４に示すように、関連付け処理を開始すると、まず、ステップＳＴ０２０１において、ユーザ操作で記録する音声データの指定（選択）を行う。具体的には、ＣＤから読み込まれた一覧リストが画面に表示されるとともに、この画面（選択画面でもある）から曲目の全部またはユーザが指定する曲を入力する。勿論、データ記録装置では、音声データ入力部２０６から読み込まれた一覧リストが表示されるとともに（一覧リストの表示機能も具備されている）、音声データ指定手段により、記録する音楽データが指定（選択）される。
【００５４】
次に、ステップＳＴ０２０２において、ステップＳＴ０２０１で指定（選択）された音楽データについて、画像データを関連付ける順番（順序）が指定（決定）される。この音声データの順番の指定はユーザ操作ではなく、システムコントローラ２０１内部で自動的に行われる。例えば、一覧リストの全部が選択されている場合には、一覧リストの順番に従って指定され、またユーザが指定した場合には、その指定順に従ってその順番が指定され、さらにユーザが適宜選択した場合には、その選択順に従ってその順番が指定される。つまり、選択方法に基づき自動的に（予め、決められた指定順序ルールに基づき）記録する順番が決定される。
【００５５】
次に、ステップＳＴ０２０３において、ユーザ操作で音楽データに関連付ける画像データの順番すなわち順序付けルールを指定する。ここでは、画像データのファイル名（ファイル情報の一例であり、データ名でもある）の順番で指定される。例えば、データ名がアルファベット順で指定される。この順序付けルールについても、指定画面で行われるとともに、画像データ指定手段により画像データの順番が指定される。
【００５６】
なお、順序付けを指定するためのユーザ操作はステップＳＴ０２０３以前であれば任意のタイミングで行ってよいため、図４のフローチャートでは省略されている。
次に、ステップＳＴ０２０４において、ユーザ操作で決められたルールに基づき画像データの取得先を指定する。ここでは、記憶媒体２０５が指定される。勿論、画像データの取得先については、画像データ取得先指定手段により行われる。なお、画像データの取得先を指定する（ルールを決める）ためのユーザ操作はステップＳＴ０２０４以前であれば任意のタイミングで行ってよいため、図４のフローチャートでは省略されている。
【００５７】
次に、ステップＳＴ０２０５において、ステップＳＴ０２０２またはステップＳＴ０２０９で指定された音楽データに関連付ける画像データの有無を判定し、画像データがある場合は、ステップＳＴ０２０６に進み、画像データがない場合は、ステップＳＴ０２０８に進む。
【００５８】
次に、ステップＳＴ０２０６において、ステップＳＴ０２０４で指定された画像データの取得先から取得した画像データを、ステップＳＴ０２０３で指定されたユーザ操作で予め決められた順序付けルール（ファイル名順などのファイル情報順）で、ステップＳＴ０２０２またはステップＳＴ０２０９で指定された音楽データに関連付けるための画像関連付け情報を作成する。この関連付けは関連付け情報作成手段にて行われる。
【００５９】
なお、上記ステップＳＴ０２０５およびステップＳＴ０２０６は、自動的に、音楽データ１曲ずつについて行われる。勿論、複数曲ずつ、または纏めて全曲について行うこともできる。
【００６０】
次に、ステップＳＴ０２０７において、ステップＳＴ０２０１で指定された全ての音楽データに対する画像データの関連付けが終了したか否かを判定し、終了している場合は、ステップＳＴ０２０８に進み、終了していない場合は、ステップＳＴ０２０９に進み、画像データを関連付ける次の音楽データを指定し、再びステップＳＴ０２０５からの処理を行う。
【００６１】
次に、ステップＳＴ０２０８において、ステップＳＴ０２０６で作成された画像データ関連付け情報を用いてステップＳＴ０２０１で指定された音楽データの再生制御情報を作成し、関連付け処理を終了する。
【００６２】
上記再生制御情報には、音楽データに関連付けられた画像データを識別するための画像関連付け情報も含まれている。
この実施の形態２の構成によると、ユーザ操作により、複数の音楽データに関連付ける複数の画像データを纏めて且つ所定ルールすなわち画像データのファイル名順でもって指定することができるとともに、画像データの取得先についても、ユーザ操作で指定することができるので、個々の音楽データに対して、その都度、画像データを関連付けるユーザ操作が不要となり、したがって曲数が増えた場合に関連付けるためのユーザ操作の負荷を軽減することができる。
［実施の形態３］
以下、本発明の実施の形態３に係るデータ関連付け方法を、図面に基づき説明する。
【００６３】
図５は実施の形態３に係るデータ関連付け方法、すなわち画像データを音楽データ（例えば音楽曲である）に関連付ける処理を示すフローチャートである。
図５に示すように、関連付け処理を開始すると、まず、ステップＳＴ０３０１において、ユーザ操作で記録する音声データの指定（選択）を行う。具体的には、ＣＤから読み込まれた一覧リストが画面に表示されるとともに、この画面（選択画面でもある）から曲目の全部またはユーザが指定する曲を入力する。勿論、データ記録装置では、音声データ入力部２０６から読み込まれた一覧リストが表示されるとともに（一覧リストの表示機能も具備されている）、音声データ指定手段により、記録する音楽データが指定（選択）される。
【００６４】
次に、ステップＳＴ０３０２において、ステップＳＴ０３０１で指定（選択）された音楽データについて、画像データを関連付ける順番（順序）が指定（決定）される。この音声データの順番の指定はユーザ操作ではなく、システムコントローラ２０１内部で自動的に行われる。例えば、一覧リストの全部が選択されている場合には、一覧リストの順番に従って指定され、またユーザが指定した場合には、その指定順に従ってその順番が指定され、さらにユーザが適宜選択した場合には、その選択順に従ってその順番が指定される。つまり、選択方法に基づき自動的に（予め、決められた指定順序ルールに基づき）記録する順番が決定される。
【００６５】
次に、ステップＳＴ０３０３において、ユーザ操作で音楽データに関連付ける画像データの順番すなわち順序付けルールを指定する。ここでは、画像データのファイル作成日やファイル更新日、またはファイルサイズ（画格）などのファイル情報の順番で指定される。この順序付けルールについても、指定画面で行われるとともに、画像データ指定手段により画像データの順番が指定される。
【００６６】
なお、順序付けを指定するためのユーザ操作はステップＳＴ０２０３以前であれば任意のタイミングで行ってよいため、図５のフローチャートでは省略されている。
次に、ステップＳＴ０３０４において、ユーザ操作で決められたルールに基づき画像データの取得先を指定する。ここでは、記憶媒体２０５が指定される。勿論、画像データの取得先については、画像データ取得先指定手段により行われる。なお、画像データの取得先を指定する（ルールを決める）ためのユーザ操作はステップＳＴ０３０４以前であれば任意のタイミングで行ってよいため、図５のフローチャートでは省略されている。
【００６７】
次に、ステップＳＴ０３０５において、ステップＳＴ０３０２またはステップＳＴ０３０９で指定された音楽データに関連付ける画像データの有無を判定し、画像データがある場合は、ステップＳＴ０３０６に進み、画像データがない場合は、ステップＳＴ０３０８に進む。
【００６８】
次に、ステップＳＴ０３０６において、ステップＳＴ０３０４で指定された画像データの取得先から取得した画像データを、ステップＳＴ０３０３で指定されたユーザ操作で予め決められた順序付けルール（ファイル作成日順、ファイル更新日順、ファイルサイズ順などのファイル情報順）で、ステップＳＴ０３０２またはステップＳＴ０３０９で指定された音楽データに関連付けるための画像関連付け情報を作成する。この関連付けは関連付け情報作成手段にて行われる。
【００６９】
なお、上記ステップＳＴ０３０５およびステップＳＴ０３０６は、自動的に、音楽データ１曲ずつについて行われる。勿論、複数曲ずつ、または纏めて全曲について行うこともできる。
【００７０】
次に、ステップＳＴ０３０７において、ステップＳＴ０３０１で指定された全ての音楽データに対する画像データの関連付けが終了したか否かを判定し、終了している場合は、ステップＳＴ０３０８に進み、終了していない場合は、ステップＳＴ０３０９に進み、画像データを関連付ける次の音楽データを指定し、再びステップＳＴ０３０５からの処理を行う。
【００７１】
次に、ステップＳＴ０３０８において、ステップＳＴ０３０６で作成された画像データ関連付け情報を用いてステップＳＴ０３０１で指定された音楽データの再生制御情報を作成し、関連付け処理を終了する。
【００７２】
上記再生制御情報には、音楽データに関連付けられた画像データを識別するための画像関連付け情報も含まれている。
この実施の形態３の構成によると、ユーザ操作により、複数の音楽データに関連付ける複数の画像データを纏めて且つ所定ルールすなわち画像データのファイル作成日、ファイル更新日またはファイルサイズなどのファイル情報の順番でもって指定することができるとともに、画像データの取得先についても、ユーザ操作で指定することができるので、個々の音楽データに対して、その都度、画像データを関連付けるユーザ操作が不要となり、したがって曲数が増えた場合に関連付けるためのユーザ操作の負荷を軽減することができる。
［実施の形態４］
以下、本発明の実施の形態４に係るデータ関連付け方法を、図面に基づき説明する。
【００７３】
図６は実施の形態４に係るデータ関連付け方法、すなわち画像データを音楽データ（例えば音楽曲である）に関連付ける処理を示すフローチャートである。
図６に示すように、関連付け処理を開始すると、まず、ステップＳＴ０４０１において、ユーザ操作で記録する音声データの指定（選択）を行う。具体的には、ＣＤから読み込まれた一覧リストが画面に表示されるとともに、この画面（選択画面でもある）から曲目の全部またはユーザが指定する曲を入力する。勿論、データ記録装置では、音声データ入力部２０６から読み込まれた一覧リストが表示されるとともに（一覧リストの表示機能も具備されている）、音声データ指定手段により、記録する音楽データが指定（選択）される。
【００７４】
次に、ステップＳＴ０４０２において、ステップＳＴ０４０１で指定（選択）された音楽データについて、画像データを関連付ける順番（順序）が指定（決定）される。この音声データの順序の指定はユーザ操作ではなく、システムコントローラ２０１内部で自動的に行われる。例えば、一覧リストの全部が選択されている場合には、一覧リストの順番に従って指定され、またユーザが指定した場合には、その指定順に従ってその順番が指定され、さらにユーザが適宜選択した場合には、その選択順に従ってその順番が指定される。つまり、選択方法に基づき自動的に（予め、決められた指定順序ルールに基づき）記録する順番が決定される。
【００７５】
次に、ステップＳＴ０４０３において、ユーザ操作で音楽データに関連付ける画像データの順番すなわち順序付けルールを指定する。ここでは、画像データの付加情報の順番で指定される。付加情報としては、例えば画像データ中に記録された当該データの作成日（撮影データの場合には、撮影日である）などが用いられる。この順序付けルールについても、指定画面で行われるとともに、画像データ指定手段により画像データの順番が指定される。
【００７６】
なお、順序付けを指定するためのユーザ操作はステップＳＴ０４０３以前であれば任意のタイミングで行ってよいため、図６のフローチャートでは省略されている。
次に、ステップＳＴ０４０４において、ユーザ操作で決められたルールに基づき画像データの取得先を指定する。ここでは、記憶媒体２０５が指定される。勿論、画像データの取得先については、画像データ取得先指定手段により行われる。なお、画像データの取得先を指定する（ルールを決める）ためのユーザ操作はステップＳＴ０４０４以前であれば任意のタイミングで行ってよいため、図６のフローチャートでは省略されている。
【００７７】
次に、ステップＳＴ０４０５において、ステップＳＴ０４０２またはステップＳＴ０４０９で指定された音楽データに関連付ける画像データの有無を判定し、画像データがある場合は、ステップＳＴ０４０６に進み、画像データがない場合は、ステップＳＴ０４０８に進む。
【００７８】
次に、ステップＳＴ０４０６において、ステップＳＴ０４０４で指定された画像データの取得先から取得した画像データを、ステップＳＴ０４０３で指定されたユーザ操作で予め決められた順序付けルール（データ作成日順などの付加情報順）で、ステップＳＴ０４０２またはステップＳＴ０４０９で指定された音楽データに関連付けるための画像関連付け情報を作成する。この関連付けは関連付け情報作成手段にて行われる。
【００７９】
なお、上記ステップＳＴ０４０５およびステップＳＴ０４０６は、自動的に、音楽データ１曲ずつについて行われる。勿論、複数曲ずつ、または纏めて全曲について行うこともできる。
【００８０】
次に、ステップＳＴ０４０７において、ステップＳＴ０４０１で指定された全ての音楽データに対する画像データの関連付けが終了したか否かを判定し、終了している場合は、ステップＳＴ０４０８に進み、終了していない場合は、ステップＳＴ０４０９に進み、画像データを関連付ける次の音楽データを指定し、再びステップＳＴ０４０５からの処理を行う。
【００８１】
次に、ステップＳＴ０４０８において、ステップＳＴ０４０６で作成された画像データ関連付け情報を用いてステップＳＴ０４０１で指定された音楽データの再生制御情報を作成し、関連付け処理を終了する。
【００８２】
上記再生制御情報には、音楽データに関連付けられた画像データを識別するための画像関連付け情報も含まれている。
この実施の形態４の構成によると、ユーザ操作により、複数の音楽データに関連付ける複数の画像データを纏めた且つ所定ルールすなわち画像データの付加情報、例えば画像データそのものの作成日順でもって指定することができるとともに、画像データの取得先についても、ユーザ操作で指定することができるので、個々の音楽データに対して、その都度、画像データを関連付けるユーザ操作が不要となり、したがって曲数が増えた場合に関連付けるためのユーザ操作の負荷を軽減することができる。
【００８３】
なお、本実施の形態４においては、上述した実施の形態３と比較すると、画像データの付加情報は画像データに含まれるため、ファイル情報と異なり、画像データを編集しない限り、変更されない。そのため、例えばファイルコピー等によりファイル作成日が変更された場合でも、撮影データの場合には、撮影日順での関連付けを行うことができる（但し、この場合、画像データは先に取得しておく必要がある）。
［実施の形態５］
以下、本発明の実施の形態５に係るデータ関連付け方法を、図面に基づき説明する。
【００８４】
図７は実施の形態５に係るデータ関連付け方法、すなわち画像データを音楽データ（例えば音楽曲である）に関連付ける処理を示すフローチャートである。
図７に示すように、関連付け処理を開始すると、まず、ステップＳＴ０５０１において、ユーザ操作で記録する音声データの指定（選択）を行う。具体的には、ＣＤから読み込まれた一覧リストが画面に表示されるとともに、この画面（選択画面でもある）から曲目の全部またはユーザが指定する曲を入力する。勿論、データ記録装置では、音声データ入力部２０６から読み込まれた一覧リストが表示されるとともに（一覧リストの表示機能も具備されている）、音声データ指定手段により、記録する音楽データが指定（選択）される。
【００８５】
次に、ステップＳＴ０５０２において、ステップＳＴ０５０１で指定（選択）された音楽データについて、画像データを関連付ける順番（順序）が指定（決定）される。この音声データの順番の指定はユーザ操作ではなく、システムコントローラ２０１内部で自動的に行われる。例えば、一覧リストの全部が選択されている場合には、一覧リストの順番に従って指定され、またユーザが指定した場合には、その指定順に従ってその順番が指定され、さらにユーザが適宜選択した場合には、その選択順に従ってその順番が指定される。つまり、選択方法に基づき自動的に（予め、決められた指定順序ルールに基づき）記録する順番が決定される。
【００８６】
次に、ステップＳＴ０５０３において、ユーザ操作で音楽データに関連付ける画像データの順番すなわち順序付けルールを指定する。ここでは、画像データの一覧リストが指定される。つまり、リストの順番で指定される。
【００８７】
なお、順序付けを指定するためのユーザ操作はステップＳＴ０５０３以前であれば任意のタイミングで行ってよいため、図７のフローチャートでは省略されている。
次に、ステップＳＴ０５０４において、ユーザ操作で決められたルールに基づき画像データの取得先を指定する。ここでは、記憶媒体２０５が指定される。勿論、画像データの取得先については、画像データ取得先指定手段により行われる。なお、画像データの取得先を指定する（ルールを決める）ためのユーザ操作はステップＳＴ０５０４以前であれば任意のタイミングで行ってよいため、図７のフローチャートでは省略されている。
【００８８】
次に、ステップＳＴ０５０５において、ステップＳＴ０５０３で指定された画像データの一覧リスト（ファイルリスト）を画像データの取得先（ここでは、記憶媒体２０５）から取得する。
【００８９】
なお、画像データのリストの取得に関しては、ステップＳＴ０５０５以前であれば任意のタイミングで行ってよいため、図７のフローチャートでは省略されている。
次に、ステップＳＴ０５０６において、ステップＳＴ０５０２またはステップＳＴ０５１０で指定された音楽データに関連付ける画像データの有無を判定し、画像データがある場合は、ステップＳＴ０５０７に進み、画像データがない場合は、ステップＳＴ０５０９に進む。
【００９０】
次に、ステップＳＴ０５０７において、ステップＳＴ０５０４で指定された画像データの取得先から取得した画像データを、ステップＳＴ０５０５で指定されたユーザ操作で予め決められた順序付けルール、すなわち画像データの一覧リストで指定（選択）された順番で、ステップＳＴ０５０２またはステップＳＴ０５１０で指定された音楽データに関連付けるための画像関連付け情報を作成する。この関連付けは関連付け情報作成手段にて行われる。
【００９１】
なお、上記ステップＳＴ０５０６およびステップＳＴ０５０７は、自動的に、音楽データ１曲ずつについて行われる。勿論、複数曲ずつ、または纏めて全曲について行うこともできる。
【００９２】
次に、ステップＳＴ０５０８において、ステップＳＴ０５０１で指定された全ての音楽データに対する画像データの関連付けが終了したか否かを判定し、終了している場合は、ステップＳＴ０５０９に進み、終了していない場合は、ステップＳＴ０５１０に進み、画像データを関連付ける次の音楽データを指定し、再びステップＳＴ０５０６からの処理を行う。
【００９３】
次に、ステップＳＴ０５０９において、ステップＳＴ０５０７で作成された画像データ関連付け情報を用いてステップＳＴ０５０１で指定された音楽データの再生制御情報を作成し、関連付け処理を終了する。
【００９４】
上記再生制御情報には、音楽データに関連付けられた画像データを識別するための画像関連付け情報も含まれている。
この実施の形態５の構成によると、ユーザ操作により、複数の音楽データに関連付ける複数の画像データを纏めて且つ所定ルールすなわち画像データの一覧リストの順番でもって指定することができるとともに、画像データの取得先についても、ユーザ操作で指定することができるので、個々の音楽データに対して、その都度、画像データを関連付けるユーザ操作が不要となり、したがって曲数が増えた場合に関連付けるためのユーザ操作の負荷を軽減することができる。
【００９５】
なお、上記実施の形態１〜４と比較すると、ユーザの希望する画像データだけを指定することができる。
［実施の形態６］
以下、本発明の実施の形態６に係るデータ関連付け方法を、図面に基づき説明する。
【００９６】
図８は実施の形態６に係るデータ関連付け方法、すなわち画像データを音楽データ（例えば音楽曲である）に関連付ける処理を示すフローチャートである。
図８に示すように、関連付け処理を開始すると、まず、ステップＳＴ０６０１において、ユーザ操作で記録する音声データの指定（選択）を行う。具体的には、ＣＤから読み込まれた一覧リストが画面に表示されるとともに、この画面（選択画面でもある）から曲目の全部またはユーザが指定する曲を入力する。勿論、データ記録装置では、音声データ入力部２０６から読み込まれた一覧リストが表示されるとともに（一覧リストの表示機能も具備されている）、音声データ指定手段により、記録する音楽データが指定（選択）される。
【００９７】
次に、ステップＳＴ０６０２において、ステップＳＴ０６０１で指定（選択）された音楽データについて、画像データを関連付ける順番（順序）が指定（決定）される。この音声データの順番の指定はユーザ操作ではなく、システムコントローラ２０１内部で自動的に行われる。例えば、一覧リストの全部が選択されている場合には、一覧リストの順番に従って指定され、またユーザが指定した場合には、その指定順に従ってその順番が指定され、さらにユーザが適宜選択した場合には、その選択順に従ってその順番が指定される。つまり、選択方法に基づき自動的に（予め、決められた指定順序ルールに基づき）記録する順番が決定される。
【００９８】
次に、ステップＳＴ０６０３において、ユーザ操作で音楽データに関連付ける画像データの順番すなわち順序付けルールを指定する。ここでは、上述した各実施の形態で示したように、画像データのファイル名、作成日などのファイル情報の順番で指定される。この順序付けルールについても、指定画面で行われるとともに、画像データ指定手段により画像データの順番が指定される。
【００９９】
なお、順序付けを指定するためのユーザ操作はステップＳＴ０６０３以前であれば任意のタイミングで行ってよいため、図８のフローチャートでは省略されている。
次に、ステップＳＴ０６０４において、ユーザ操作で決められたルールに基づき画像データの取得先を指定する。ここでは、所定（特定）の記憶媒体、または所定の記憶媒体における所定（特定）の記憶領域（フォルダ）が指定される。勿論、画像データの取得先については、画像データ取得先指定手段により行われる。なお、画像データの取得先を指定する（ルールを決める）ためのユーザ操作はステップＳＴ０６０４以前であれば任意のタイミングで行ってよいため、図８のフローチャートでは省略されている。
【０１００】
次に、ステップＳＴ０６０５において、ステップＳＴ０６０２またはステップＳＴ０６０９で指定された音楽データに関連付ける画像データの有無を判定し、画像データがある場合は、ステップＳＴ０６０６に進み、画像データがない場合は、ステップＳＴ０６０８に進む。
【０１０１】
次に、ステップＳＴ０６０６において、ステップＳＴ０６０４で指定された画像データの取得先から取得した画像データを、ステップＳＴ０６０３で指定されたユーザ操作で予め決められた順序付けルール（ファイル情報順）で、ステップＳＴ０６０２またはステップＳＴ０６０９で指定された音楽データに関連付けるための画像関連付け情報を作成する。この関連付けは関連付け情報作成手段にて行われる。
【０１０２】
なお、上記ステップＳＴ０５０５およびステップＳＴ０５０６は、自動的に、音楽データ１曲ずつについて行われる。勿論、複数曲ずつ、または纏めて全曲について行うこともできる。
【０１０３】
次に、ステップＳＴ０６０７において、ステップＳＴ０６０１で指定された全ての音楽データに対する画像データの関連付けが終了したか否かを判定し、終了している場合は、ステップＳＴ０６０８に進み、終了していない場合は、ステップＳＴ０６０９に進み、画像データを関連付ける次の音楽データを指定し、再びステップＳＴ０６０５からの処理を行う。
【０１０４】
次に、ステップＳＴ０６０８において、ステップＳＴ０６０６で作成された画像データ関連付け情報を用いてステップＳＴ０６０１で指定された音楽データの再生制御情報を作成し、関連付け処理を終了する。
【０１０５】
上記再生制御情報には、音楽データに関連付けられた画像データを識別するための画像関連付け情報も含まれている。
この実施の形態６の構成によると、ユーザ操作により、複数の音楽データに関連付ける複数の画像データを纏めて且つ所定ルールでもって指定することができるとともに、画像データの取得先についても、ユーザが希望する記憶媒体またはその記憶媒体における所定フォルダなどを指定することができるので、個々の音楽データに対して、その都度、画像データを関連付けるユーザ操作が不要となり、したがって曲数が増えた場合に関連付けるためのユーザ操作の負荷を軽減することができる。
［実施の形態７］
以下、本発明の実施の形態７に係るデータ関連付け方法を、図面に基づき説明する。
【０１０６】
図９は実施の形態７に係るデータ関連付け方法、すなわち画像データを音楽データ（例えば音楽曲である）に関連付ける処理を示すフローチャートである。
図９に示すように、関連付け処理を開始すると、まず、ステップＳＴ０７０１において、ユーザ操作で記録する音声データの指定（選択）を行う。具体的には、ＣＤから読み込まれた一覧リストが画面に表示されるとともに、この画面（選択画面でもある）から曲目の全部またはユーザが指定する曲を入力する。勿論、データ記録装置では、音声データ入力部２０６から読み込まれた一覧リストが表示されるとともに（一覧リストの表示機能も具備されている）、音声データ指定手段により、記録する音楽データが指定（選択）される。
【０１０７】
次に、ステップＳＴ０７０２において、ステップＳＴ０７０１で指定（選択）された音楽データについて、画像データを関連付ける順番（順序）が指定（決定）される。この音声データの順序の指定はユーザ操作ではなく、システムコントローラ２０１内部で自動的に行われる。例えば、一覧リストの全部が選択されている場合には、一覧リストの順番に従って指定され、またユーザが指定した場合には、その指定順に従ってその順番が指定され、さらにユーザが適宜選択した場合には、その選択順に従ってその順番が指定される。つまり、選択方法に基づき自動的に（予め、決められた指定順序ルールに基づき）記録する順番が決定される。
【０１０８】
次に、ステップＳＴ０７０３において、ユーザ操作で音楽データに関連付ける画像データの順番すなわち順序付けルールを指定する。ここでは、上述した各実施の形態で示したように、画像データのファイル名、作成日などのファイル情報の順番で指定される。この順序付けルールについても、指定画面で行われるとともに、画像データ指定手段により画像データの順番が指定される。
【０１０９】
なお、順序付けを指定するためのユーザ操作はステップＳＴ０７０３以前であれば任意のタイミングで行ってよいため、図９のフローチャートでは省略されている。
次に、ステップＳＴ０７０４において、ユーザ操作で決められたルールに基づき画像データの取得先を指定する。ここでは、ネットワークで接続された所定（特定）の記憶媒体、または所定の記憶媒体における所定（特定）の記憶領域（フォルダ）が指定される。勿論、画像データの取得先については、画像データ取得先指定手段により行われる。なお、画像データの取得先を指定するルールを決めるためのユーザ操作はステップＳＴ０７０４以前であれば任意のタイミングで行ってよいため、図９のフローチャートでは省略されている。
【０１１０】
次に、ステップＳＴ０７０５において、ステップＳＴ０７０２またはステップＳＴ０７０９で指定された音楽データに関連付ける画像データの有無を判定し、画像データがある場合は、ステップＳＴ０７０６に進み、画像データがない場合は、ステップＳＴ０７０８に進む。
【０１１１】
次に、ステップＳＴ０７０６において、ステップＳＴ０７０４で指定された画像データの取得先から取得した画像データを、ステップＳＴ０７０３で指定されたユーザ操作で予め決められた順序付けルール（ファイル情報順）で、ステップＳＴ０７０２またはステップＳＴ０７０９で指定された音楽データに関連付けるための画像関連付け情報を作成する。この関連付けは関連付け情報作成手段にて行われる。
【０１１２】
なお、上記ステップＳＴ０７０５およびステップＳＴ０７０６は、自動的に、音楽データ１曲ずつについて行われる。勿論、複数曲ずつ、または纏めて全曲について行うこともできる。
【０１１３】
次に、ステップＳＴ０７０７において、ステップＳＴ０７０１で指定された全ての音楽データに対する画像データの関連付けが終了したか否かを判定し、終了している場合は、ステップＳＴ０７０８に進み、終了していない場合は、ステップＳＴ０７０９に進み、画像データを関連付ける次の音楽データを指定し、再びステップＳＴ０７０５からの処理を行う。
【０１１４】
次に、ステップＳＴ０７０８において、ステップＳＴ０７０６で作成された画像データ関連付け情報を用いてステップＳＴ０７０１で指定された音楽データの再生制御情報を作成し、関連付け処理を終了する。
【０１１５】
上記再生制御情報には、音楽データに関連付けられた画像データを識別するための画像関連付け情報も含まれている。
この実施の形態７の構成によると、ユーザ操作により、複数の音楽データに関連付ける複数の画像データを纏めて且つ所定ルールでもって指定することができるとともに、画像データの取得先についても、ユーザが希望するネットワークに接続された記憶媒体またはその記憶媒体における所定フォルダなどに、ユーザ操作で指定することができるので、個々の音楽データに対して、その都度、画像データを関連付けるユーザ操作が不要となり、したがって曲数が増えた場合に関連付けるためのユーザ操作の負荷を軽減することができる。
【０１１６】
また、実施の形態６と比較すると、画像データが記録された記憶媒体がユーザの手元にない場合でも、画像データを音楽データに関連付けることができる。
［実施の形態８］
以下、本発明の実施の形態８に係るデータ関連付け方法を、図面に基づき説明する。
【０１１７】
図１０は実施の形態８に係るデータ関連付け方法、すなわち画像データを音楽データ（例えば音楽曲である）に関連付ける処理を示すフローチャートである。
図１０に示すように、関連付け処理を開始すると、まず、ステップＳＴ０８０１において、ユーザ操作で記録する音声データの指定（選択）を行う。具体的には、ＣＤから読み込まれた一覧リストが画面に表示されるとともに、この画面（選択画面でもある）から曲目の全部またはユーザが指定する曲を入力する。勿論、データ記録装置では、音声データ入力部２０６から読み込まれた一覧リストが表示されるとともに（一覧リストの表示機能も具備されている）、音声データ指定手段により、記録する音楽データが指定（選択）される。
【０１１８】
次に、ステップＳＴ０８０２において、ステップＳＴ０８０１で指定（選択）された音楽データについて、画像データを関連付ける順番（順序）が指定（決定）される。この音声データの順序の指定はユーザ操作ではなく、システムコントローラ２０１内部で自動的に行われる。例えば、一覧リストの全部が選択されている場合には、一覧リストの順番に従って指定され、またユーザが指定した場合には、その指定順に従ってその順番が指定され、さらにユーザが適宜選択した場合には、その選択順に従ってその順番が指定される。つまり、選択方法に基づき自動的に（予め、決められた指定順序ルールに基づき）記録する順番が決定される。
【０１１９】
次に、ステップＳＴ０８０３において、ユーザ操作で音楽データに関連付ける画像データの順番すなわち順序付けルールを指定する。ここでは、上述した各実施の形態で示したように、画像データのファイル名、作成日などのファイル情報の順番に基づき指定される。この順序付けルールについても、指定画面で行われるとともに、画像データ指定手段により画像データの順番が指定される。
【０１２０】
なお、順序付けを指定するためのユーザ操作はステップＳＴ０８０３以前であれば任意のタイミングで行ってよいため、図１０のフローチャートでは省略されている。
次に、ステップＳＴ０８０４において、ユーザ操作で決められたルールに基づき画像データの取得先を指定する。すなわち、画像データを保存しているデータ保存フォルダの一覧リスト（ここでは、画像データが記憶媒体２０５に記録されているため、当該記憶媒体２０５そのものに記憶されている）が指定される。勿論、画像データの取得先については、画像データ取得先指定手段により行われる。なお、画像データの取得先を指定するためのユーザ操作はステップＳＴ０８０４以前であれば任意のタイミングで行ってよいため、図１０のフローチャートでは省略されている。
【０１２１】
次に、ステップＳＴ０８０５において、ステップＳＴ０８０４で指定された画像データのデータ保存フォルダの一覧リストを、記憶媒体２０５から取得する。
なお、この一覧リストの取得に関してはステップＳＴ０８０５以前であれば任意のタイミングで行ってよいため、図１０のフローチャートでは省略されている。
【０１２２】
次に、ステップＳＴ０８０６において、ステップＳＴ０８０２またはステップＳＴ０８１０で指定された音楽データに関連付ける画像データの有無を判定し、画像データがある場合は、ステップＳＴ０８０７に進み、画像データがない場合は、ステップＳＴ０８０９に進む。
【０１２３】
次に、ステップＳＴ０８０７において、ステップＳＴ０８０５で取得された一覧リストに基づきステップＳＴ０８０３で指定されたユーザ操作により予め決められたルール（ファイル情報順）で、ステップＳＴ０８０２またはステップＳＴ０８１０で指定された音楽データに関連付ける、画像関連付け情報を作成する。この関連付けは関連付け情報作成手段にて行われる。
【０１２４】
なお、上記ステップＳＴ０８０６およびステップＳＴ０８０７は、自動的に、音楽データ１曲ずつについて行われる。勿論、複数曲ずつ、または纏めて全曲について行うこともできる。
【０１２５】
次に、ステップＳＴ０８０８において、ステップＳＴ０８０１で指定された全ての音楽データに対する画像データの関連付けが終了したか否かを判定し、終了している場合は、ステップＳＴ０８０９に進み、終了していない場合は、ステップＳＴ０８１０に進み、画像データを関連付ける次の音楽データを指定し、再びステップＳＴ０８０６からの処理を行う。
【０１２６】
次に、ステップＳＴ０８０９において、ステップＳＴ０８０７で作成された画像データ関連付け情報を用いてステップＳＴ０８０１で指定された音楽データの再生制御情報を作成し、関連付け処理を終了する。
【０１２７】
上記再生制御情報には、音楽データに関連付けられた画像データを識別するための画像関連付け情報も含まれている。
この実施の形態８の構成によると、ユーザ操作により、複数の音楽データに関連付ける複数の画像データを纏めて且つ所定ルールでもって指定することができるとともに、画像データの取得先についても、ユーザ操作にて、当該画像データの保存フォルダの一覧リストに指定することができるので、個々の音楽データに対して、その都度、画像データを関連付けるユーザ操作が不要となり、したがって曲数が増えた場合に関連付けるためのユーザ操作の負荷を軽減することができる。
【０１２８】
すなわち、上述した実施の形態６および実施の形態７と比較すると、ユーザの希望する画像データだけを指定することができる。
［実施の形態９］
以下、本発明の実施の形態９に係るデータ関連付け方法を、図面に基づき説明する。
【０１２９】
図１１は実施の形態９に係るデータ関連付け方法、すなわち画像データを音楽データ（例えば音楽曲である）に関連付ける処理を示すフローチャートである。
図１１に示すように、関連付け処理を開始すると、まず、ステップＳＴ０９０１において、ユーザ操作で記録する音声データの指定（選択）を行う。具体的には、ＣＤから読み込まれた一覧リストが画面に表示されるとともに、この画面（選択画面でもある）から曲目の全部またはユーザが指定する曲を入力する。勿論、データ記録装置では、音声データ入力部２０６から読み込まれた一覧リストが表示されるとともに（一覧リストの表示機能も具備されている）、音声データ指定手段により、記録する音楽データが指定（選択）される。
【０１３０】
次に、ステップＳＴ０９０２において、ステップＳＴ０９０１で指定（選択）された音楽データについて、画像データを関連付ける順番（順序）が指定（決定）される。この音声データの順序の指定はユーザ操作ではなく、システムコントローラ２０１内部で自動的に行われる。例えば、一覧リストの全部が選択されている場合には、一覧リストの順番に従ってその順序が指定され、またユーザが指定した場合には、その指定順に従ってその順番が指定され、さらにユーザが適宜選択した場合には、その選択順に従ってその順番が指定される。つまり、選択方法に基づき自動的に（予め、決められた指定順序ルールに基づき）記録する順番が決定される。
【０１３１】
次に、ステップＳＴ０９０３において、ユーザ操作で音楽データに関連付ける画像データの順番すなわち順序付けルール（例えば、ファイル情報順）を指定する。ここでは、画像データのファイル名の順番で指定される。例えば、アルファベット順で指定される。この順序付けルールについても、指定画面で行われるとともに、画像データ指定手段により画像データの順番が指定される。
【０１３２】
なお、順序付けを指定するためのユーザ操作はステップＳＴ０９０３以前であれば任意のタイミングで行ってよいため、図１１のフローチャートでは省略されている。
次に、ステップＳＴ０９０４において、ユーザ操作で決められたルールに基づき画像データの取得先を指定する。ここでは、記憶媒体２０５が指定される。勿論、画像データの取得先については、画像データ取得先指定手段により行われる。なお、画像データの取得先を指定する（ルールを決める）ためのユーザ操作はステップＳＴ０９０４以前であれば任意のタイミングで行ってよいため、図１１のフローチャートでは省略されている。
【０１３３】
次に、ステップＳＴ０９０５において、ステップＳＴ０９０２またはステップＳＴ０９０９で指定された音楽データに関連付ける画像データの有無を判定し、画像データがある場合は、ステップＳＴ０９０６に進み、画像データがない場合は、ステップＳＴ０９１０に進む。
【０１３４】
このステップＳＴ０９１０では、画像データがないためすなわち画像データが不足しているため、再度、画像データの取得先を指定し直し、ステップＳＴ０９０６に進む。
次に、ステップＳＴ０９０６において、ステップＳＴ０９０４またはステップＳＴ０９１０で指定された画像データの取得先から取得した画像データを、ステップＳＴ０９０３で指定されたユーザ操作で予め決められた順序付けルール（ファイル名順）で、ステップＳＴ０９０２またはステップＳＴ０９０９で指定された音楽データに関連付けるための画像関連付け情報を作成する。この関連付けは関連付け情報作成手段にて行われる。
【０１３５】
なお、上記ステップＳＴ０９０５およびステップＳＴ０９０６は、自動的に、音楽データ１曲ずつについて行われる。勿論、複数曲ずつ、または纏めて全曲について行うこともできる。
【０１３６】
次に、ステップＳＴ０９０７において、ステップＳＴ０９０１で指定された全ての音楽データに対する画像データの関連付けが終了したか否かを判定し、終了している場合は、ステップＳＴ０９０８に進み、終了していない場合は、ステップＳＴ０９０９に進み、画像データを関連付ける次の音楽データを指定し、再びステップＳＴ０９０５からの処理を行う。
【０１３７】
次に、ステップＳＴ０９０８において、ステップＳＴ０９０６で作成された画像データ関連付け情報を用いてステップＳＴ０９０１で指定された音楽データの再生制御情報を作成し、関連付け処理を終了する。
【０１３８】
上記再生制御情報には、音楽データに関連付けられた画像データを識別するための画像関連付け情報も含まれている。
この実施の形態９の構成によると、上記各実施の形態にて記載した効果に加えて、音楽データに関連付ける画像データが不足している場合でも、音楽データに画像を関連付けることができる。
［実施の形態１０］
以下、本発明の実施の形態１０に係るデータ関連付け方法を、図面に基づき説明する。
【０１３９】
図１２は実施の形態１０に係るデータ関連付け方法、すなわち画像データを音楽データ（例えば音楽曲である）に関連付ける処理を示すフローチャートである。
図１２に示すように、関連付け処理を開始すると、まず、ステップＳＴ１００１において、ユーザ操作で記録する音声データの指定（選択）を行う。具体的には、ＣＤから読み込まれた一覧リストが画面に表示されるとともに、この画面（選択画面でもある）から曲目の全部またはユーザが指定する曲を入力する。勿論、データ記録装置では、音声データ入力部２０６から読み込まれた一覧リストが表示されるとともに（一覧リストの表示機能も具備されている）、音声データ指定手段により、記録する音楽データが指定（選択）される。
【０１４０】
次に、ステップＳＴ１００２において、ステップＳＴ１００１で指定（選択）された音楽データについて、画像データを関連付ける順番（順序）が指定（決定）される。この音声データの順序の指定はユーザ操作ではなく、システムコントローラ２０１内部で自動的に行われる。例えば、一覧リストの全部が選択されている場合には、一覧リストの順番に従ってその順序が指定され、またユーザが指定した場合には、その指定順に従ってその順番が指定され、さらにユーザが適宜選択した場合には、その選択順に従ってその順番が指定される。つまり、選択方法に基づき自動的に（予め、決められた指定順序ルールに基づき）記録する順番が決定される。
【０１４１】
次に、ステップＳＴ１００３において、ユーザ操作で音楽データに関連付ける画像データの順番すなわち順序付けルール（例えば、ファイル情報順）を指定する。ここでは、画像データのファイル名の順番で指定される。例えば、アルファベット順で指定される。この順序付けルールについても、指定画面で行われるとともに、画像データ指定手段により画像データの順番が指定される。
【０１４２】
なお、順序付けを指定するためのユーザ操作はステップＳＴ１００３以前であれば任意のタイミングで行ってよいため、図１２のフローチャートでは省略されている。
次に、ステップＳＴ１００４において、ユーザ操作で決められたルールに基づき画像データの取得先を指定する。ここでは、記憶媒体２０５が指定される。勿論、画像データの取得先については、画像データ取得先指定手段により行われる。なお、画像データの取得先を指定するルールを決めるためのユーザ操作はステップＳＴ１００４以前であれば任意のタイミングで行ってよいため、図１２のフローチャートでは省略されている。
【０１４３】
次に、ステップＳＴ１００５において、ステップＳＴ１００２またはステップＳＴ１００９で指定された音楽データに関連付ける画像データの有無を判定し、画像データがある場合は、ステップＳＴ１００６に進み、画像データがない場合は、ステップＳＴ１００９に進む。
【０１４４】
次に、ステップＳＴ１００６において、ステップＳＴ１００４またはステップＳＴ１０１０で指定された画像データの取得先から取得した画像データを、ステップＳＴ１００３で指定されたユーザ操作で予め決められた順序付けルール（ファイル情報順）で、ステップＳＴ１００２またはステップＳＴ１０１０で指定された音楽データに関連付けるための画像関連付け情報を作成する。この関連付けは関連付け情報作成手段にて行われる。
【０１４５】
なお、上記ステップＳＴ１００５およびステップＳＴ１００６は、自動的に、音楽データ１曲ずつについて行われる。勿論、複数曲ずつ、または纏めて全曲について行うこともできる。
【０１４６】
次に、ステップＳＴ１００７において、ステップＳＴ１００１で指定された全ての音楽データに対する画像データの関連付けが終了したか否かを判定し、終了している場合は、ステップＳＴ１００８に進み、終了していない場合は、ステップＳＴ１０１０に進み、画像データを関連付ける次の音楽データを指定し、再びステップＳＴ１００５からの処理を行う。
【０１４７】
次に、ステップ１００８において、ステップＳＴ１００４で指定された取得先の全ての画像データが音声データに関連付けされている場合はステップＳＴ１００９に進み、画像データに残りがある（余っている）場合は残りの画像データをステップＳＴ１００３で指定された順序で再び音声データに関連付けるためにステップＳＴ１０１０に進む。
【０１４８】
ステップ１００８で全ての音楽データに画像データが関連付けされている場合には、ステップＳＴ１００９に進み、ここで、ステップＳＴ１００６で作成された画像データ関連付け情報を用いてステップＳＴ１００１で指定された音楽データの再生制御情報を作成し、関連付け処理を終了する。
【０１４９】
上記再生制御情報には、音楽データに関連付けられた画像データを識別するための画像関連付け情報も含まれている。
この実施の形態１０の構成によれば、上記各実施の形態で説明した効果に加え、音楽データに対する関連付けが終了し、関連付けされている画像データが残っている場合でも、音楽データに画像データを関連付けることができる。
【産業上の利用可能性】
【０１５０】
本発明にかかるデータ関連付け方法は、記憶媒体から音声データや画像データを記録するためのユーザ操作を容易にすることができ、携帯型、据置型の記録機能を備えた機器等に有用である。
【図面の簡単な説明】
【０１５１】
【図１】本発明の実施の形態に係るデータを記録するための記憶媒体のデータ構成および操作内容を説明するためのブロック図である。
【図２】本発明の実施の形態に係るデータ記録装置の概略構成を示すブロック図である。
【図３】本発明の実施の形態１に係るデータ関連付け方法を説明するフローチャートである。
【図４】本発明の実施の形態２に係るデータ関連付け方法を説明するフローチャートである。
【図５】本発明の実施の形態３に係るデータ関連付け方法を説明するフローチャートである。
【図６】本発明の実施の形態４に係るデータ関連付け方法を説明するフローチャートである。
【図７】本発明の実施の形態５に係るデータ関連付け方法を説明するフローチャートである。
【図８】本発明の実施の形態６に係るデータ関連付け方法を説明するフローチャートである。
【図９】本発明の実施の形態７に係るデータ関連付け方法を説明するフローチャートである。
【図１０】本発明の実施の形態８に係るデータ関連付け方法を説明するフローチャートである。
【図１１】本発明の実施の形態９に係るデータ関連付け方法を説明するフローチャートである。
【図１２】本発明の実施の形態１０に係るデータ関連付け方法を説明するフローチャートである。
【図１３】従来のデータ関連付け方法を説明するための記憶媒体の概略構成を示すブロック図である。
【図１４】従来のデータ関連付け方法を用いたデータ記録装置の概略構成を示すブロック図である。
【図１５】従来のデータ関連付け方法を説明するフローチャートである。
【図１６】従来のデータを記録するための記憶媒体のデータ構成および操作内容を説明するためのブロック図である。
【符号の説明】
【０１５２】
１００      記憶媒体
１０１      音楽データ
１０２      画像データ
１０３      再生制御情報
１０４      音楽制御情報
１０５      画像制御情報
１０６      画像関連付け情報
２００      記録装置
２０１      システムコントローラ
２０２      記憶媒体制御部
２０３      記録制御部
２０４      データ制御部
２０５      記憶媒体
２０６      音声データ入力部
２０７      画像データ入力部
【図１】
2007305262.tif 000003
【図２】
2007305262.tif 000004
【図３】
2007305262.tif 000005
【図４】
2007305262.tif 000006
【図５】
2007305262.tif 000007
【図６】
2007305262.tif 000008
【図７】
2007305262.tif 000009
【図８】
2007305262.tif 000010
【図９】
2007305262.tif 000011
【図１０】
2007305262.tif 000012
【図１１】
2007305262.tif 000013
【図１２】
2007305262.tif 000014
【図１３】
2007305262.tif 000015
【図１４】
2007305262.tif 000016
【図１５】
2007305262.tif 000017
【図１６】
2007305262.tif 000018